(57)【要約】【課題】  浴槽に掛け渡すタイプの手摺りで、かつ、浴槽の奥行に合わせて伸縮可能なタイプにおいて、浴槽のアール部分でも取り付けることができ、かつ、利用者が手摺りを体に引きつける方向の力を加えても、手摺り自体が従来の伸縮タイプよりも強度を持っていると共に、手摺りがずれたり外れたりしにくい浴槽用手摺りを提供する。【解決手段】  ベース部１の浴槽奥行方向の両端部に固定される奥行側Ｌ字部１ａ，２ｂと、一方の奥行側Ｌ字部２ｂと浴槽Ｂの外側側壁との間に圧力を加える押圧手段３と、浴槽Ｂの幅方向に固定される幅側Ｌ字部７と、ハンドル５とを備える。また、ベース部１に、奥行側Ｌ字部２ａ，２ｂを浴槽奥行方向に変位させ固定する奥行方向変位固定手段と、幅側Ｌ字部７を浴槽幅方向に変位させ固定する幅方向変位固定手段とを備えた。【選択図】  図１
2007175245.tif 000002
【特許請求の範囲】
【請求項１】
浴槽の奥行方向に掛け渡すベース部と、このベース部の前記浴槽奥行方向の両端部にそれぞれ固定される奥行側Ｌ字部と、一方の奥行側Ｌ字部と浴槽の外側側壁との間に圧力を加える押圧手段と、前記ベース部の，前記浴槽の幅方向に固定される幅側Ｌ字部と、前記ベース部の上方（浴槽とは反対側）において前記ベース部の両端部に掛け渡すハンドルとを備え、
更に、前記ベース部に、前記奥行側Ｌ字部を浴槽奥行方向に変位させ所定の位置に固定する奥行方向変位固定手段と、前記幅側Ｌ字部を浴槽幅方向に変位させ所定の位置に固定する幅方向変位固定手段とを備えたことを特徴とする浴槽用手摺り。
【請求項２】
前記奥行側Ｌ字部及び／又は幅側Ｌ字部が、壁面連結構造を有すると共に、奥行方向変位固定手段又は前記幅方向変位固定手段が、前記奥行側Ｌ字部又は幅側Ｌ字部を上下反転可能な反転構造を備えたことを特徴とする請求項１記載の浴槽用手摺り。
【請求項３】
前記ハンドルが、前記浴槽の奥行方向において、前記ベース部よりも外側に張り出していることを特徴とした請求項１記載の浴槽用手摺り。
【請求項４】
請求項１記載の浴槽用手摺りにおいて、
前記ベース部の下方において前記ベース部に掛け渡す第２のハンドルを備えたことを特徴とする浴槽用手摺り。
【発明の詳細な説明】
【技術分野】
【０００１】
本発明は、浴槽用手摺りに係り、特に、浴槽に掛け渡して手摺りを設ける浴槽用手摺りに関する。
【背景技術】
【０００２】
現在、我々の社会においてもっとも深刻な問題は高齢化である。高齢化による問題はさまざまであるが、一番には高齢による運動能力の低下である。運動機能の低下が起こると今まで出来ていたことが出来なくなる。足どりが重くなったり、段差のないところでつまずいたり、最後には転倒してしまったケースもある。
【０００３】
日本は温泉大国と言われるほど、お湯に浸かることが大好きである。お風呂に入浴することは日常生活の中で一般的なことで、最近ではリラクゼーション効果も期待されている。しかし、それと比例するようにお風呂での事故が年々急増しているのが現状である。このことから入浴における安全性の確保は重大な課題であると考える。
【０００４】
今までの浴槽取付手摺りの多くは浴槽の縁に取り付けるが、アール部分（曲線部）には取り付けることが出来ず、浴槽の角から離れたストレート部分に固定をする。特に狭い浴槽の場合は浴槽中程に取り付いた手摺りが邪魔になり、かえって浴槽に入りづらくなり危険を伴う場合もある。例えば、図５に示すような、浴槽の内側に固定するタイプの手摺りは、浴槽内のアール部分には固定しにくいので、浴槽の中程ストレート部分に取り付けることになる（例えば、特許文献１）。また、それらを使用しない場合、浴槽の縁を直接掴んだり、水栓を支えに入浴することが多いようである。
【０００５】
一方、図６に示すように、浴槽のアール部分付近に取り付け可能な手摺りも提案されている（例えば、特許文献２）。
【０００６】
しかし、図６に示す従来例にあっては、手摺りの固定が弱い状態で、利用者が手摺りを体に引き寄せる方向に力を加えると、予期せず手摺りがずれたり、外れたりする虞がある。また、手摺り自体を伸縮可能な構造としており、手摺り自体の強度が弱まる不都合がある。
【特許文献１】特開平９−２５２９８５号公報
【特許文献２】特開２００４−１６７１８８号公報
【発明の開示】
【発明が解決しようとする課題】
【０００７】
本発明は、かかる従来例の有する不都合を改善し、特に、浴槽に掛け渡すタイプの手摺りで、かつ、浴槽の奥行に合わせて伸縮可能なタイプにおいて、浴槽のアール部分でも取り付けることができ、かつ、利用者が手摺りを体に引きつける方向の力を加えても、手摺り自体が従来の伸縮タイプよりも強度を持っていると共に、手摺りがずれたり外れたりしにくい浴槽用手摺りを提供する。
【課題を解決するための手段】
【０００８】
上記課題を解決するため、本発明は、浴槽の奥行方向に掛け渡すベース部と、このベース部の浴槽奥行方向の両端部にそれぞれ固定される奥行側Ｌ字部とを備えている。また、一方の奥行側Ｌ字部と浴槽の外側側壁との間に圧力を加える押圧手段と、ベース部の，浴槽の幅方向に固定される幅側Ｌ字部とを備えている。更に、ベース部の上方（浴槽とは反対側）においてベース部の両端部に掛け渡すハンドルを有する。これに加え、ベース部に、奥行側Ｌ字部を浴槽奥行方向に変位させ所定の位置に固定する奥行方向変位固定手段と、幅側Ｌ字部を浴槽幅方向に変位させ所定の位置に固定する幅方向変位固定手段とを備えた、という構成を採っている。
【０００９】
浴槽への取り付けは、次のようになる。まず、ベース部の両端部において奥行側Ｌ字部を浴槽の奥行に合わせて変位させ固定する（奥行方向変位固定手段）。そして、奥行側Ｌ字部と押圧手段により浴槽を外から挟み、浴槽上にベース部を固定する。これにより、ベース部に固定されたハンドルも浴槽上に固定される。浴槽の外側を挟んで固定するので、浴槽の内側が曲線状の部分であっても取り付けることができる。この際、幅側Ｌ字部を浴槽幅方向の外側の側面に当接させる。この幅側Ｌ字部をベース部に対して変位させ固定することによって（幅方向変位固定手段）、幅側Ｌ字部を浴槽の側面に当接させた状態を保ちながら、ベース部の位置を浴槽の幅方向に変位させて位置決めすることができる。
【００１０】
この状態で、浴槽に入っている利用者がハンドルを握って例えば立ち上がろうとすると、ハンドルには利用者に引き寄せる力が働くが、この力を幅側Ｌ字部が浴槽側面で受けるので、従来に比べハンドルがずれたり外れたりする事態を回避できる。
【００１１】
また、かかる作用を保ちながら、ベース部の位置を浴槽の幅方向に変位させることができ、浴槽周辺の障害物を避けながら、かつ、外力に対する抗力を保ちながらベース部を取り付けることができる。
【００１２】
また、ベース部両端の奥行側Ｌ字部において浴槽の奥行きに合わせる伸縮を行わせているので、ハンドル自体に伸縮構造を設ける従来例に比べハンドルの強度を出すことができる。
【００１３】
また、上記の構成において、奥行側Ｌ字部及び／又は幅側Ｌ字部が壁面連結構造を有すると共に、奥行方向変位固定手段又は幅方向変位固定手段が、奥行側Ｌ字部又は幅側Ｌ字部を上下反転可能な反転構造を備えてもよい。
【００１４】
この反転構造により片方の奥行側Ｌ字部（押圧手段が付いていない側）又は幅側Ｌ字部又はその両方を反転させると共に、反転したＬ字部の壁面連結構造により浴槽周囲の壁面に固定する。このようにすると、例えば浴槽と壁面との間に隙間がない環境でもベース部を固定することができる。
【００１５】
また、上記のハンドルは、浴槽の奥行方向において、ベース部よりも外側に張り出すように形状を形成してもよい。利用者は、浴槽に入るとき、出るときに当該張り出しの部分を掴んで体を動かすことができる。
【００１６】
また、ベース部の下方においてベース部に掛け渡す第２のハンドルを備えてもよい。利用者は、浴槽の中からベース部よりも位置の低い第２のハンドルを利用して体を動かすことができる。
【発明の効果】
【００１７】
以上の本発明によれば、上述のように、浴槽に掛け渡すタイプの手摺りで、かつ、浴槽の奥行に合わせて伸縮可能なタイプにおいて、浴槽のアール部分にも取り付けることができ、かつ、利用者が手摺りを体に引きつける方向の力を加えても、手摺り自体が従来の伸縮タイプよりも強度を持っていると共に、手摺りがずれたり外れたりしにくい浴槽用手摺りを提供することができる。
【発明を実施するための最良の形態】
【００１８】
以下、本発明の一実施形態を図面を参照しつつ説明する。
【００１９】
図１（ａ）は、本実施形態にかかる浴槽用手摺りを浴槽の側面方向から見た正面図である。浴槽Ｂの奥行方向には、板状のベース部１が掛け渡され、その両端部にＬ字状の奥行側Ｌ字部２ａ，２ｂが固定されている。本実施形態において、奥行側Ｌ字部２ａ，２ｂは、ベース部１と浴槽Ｂとの間に挿入され、ベース部１の上から螺子止めされている。ベース部１には、奥行側Ｌ字部２ａ，２ｂを固定するための螺子穴Ｕ１が、浴槽の奥行方向に沿っ間隔を隔てて３箇所に開けられており、この螺子穴Ｕ１を選択することによって、奥行側Ｌ字部２ａ，２ｂのベース部１への固定位置を浴槽奥行方向に変位できるようになっており、浴槽Ｂの奥行に適した位置に合わせることができる（奥行方向変位固定手段）。図１では、３箇所の螺子穴Ｕ１のうち、中央の螺子穴で固定した状態を示している（図中Ｔ字の記号は螺子止めの位置を示している）。奥行側Ｌ字部２ａ，２ｂの浴槽との接触面には、浴槽面を保護する保護シートが施されている。また、片方の奥行側Ｌ字部２ｂには、浴槽Ｂの側面を締め付ける押圧手段３が螺合している。この押圧手段３を浴槽側面に向かってねじ込むことにより、反対側の奥行側Ｌ字部２ａと押圧手段３との間で浴槽を外側から挟む。これにより、浴槽に対してベース部１が固定される。
【００２０】
ベース部１の両端部では、浴槽Ｂとは反対側に向かってハンドル５の取り付けをガイドするアーム４，４が上方に生えており、その高さ方向に３箇所の螺子穴Ｕ２が間隔を隔てて形成されている。このアーム４，４に対しパイプ状に形成されたハンドル５の端部を差し込むと、ハンドル５に設けられた螺子穴とアームの螺子穴とを合わせて螺子止めすることによって、ハンドル５がベース部１に固定される。ハンドル５は、浴槽Ｂの奥行方向において、ベース部１よりもＵ字状に張り出した延長部５ａを備えている。これにより、浴槽Ｂの外からでもハンドルを使いやすい。
【００２１】
また、ベース部１の下方（浴槽の内側）には、ベース部１に掛け渡して固定したコ字状の第２のハンドルが設けられている。ベース部１に設けられた螺子穴と、第２のハンドルの端部に形成された螺子穴とを螺子止めすることによって、ベース部１に固定されている。第１及び第２のハンドルには、握ったときのスリップを防止するためにラバー等のスリップ防止素材が被覆されている。
【００２２】
符号７，７は、Ｌ字状に形成された幅側Ｌ字部である。螺子止めによりベース部１に固定される。幅側Ｌ字部７，７の浴槽Ｂとの当接面には、浴槽Ｂを保護する保護シートが施されている。
【００２３】
図２は、図１に示した浴槽用手摺りを浴槽Ｂの上方から見た平面図である。２つの幅側Ｌ字部７，７には、浴槽Ｂの幅方向に沿って３箇所の螺子穴Ｕ３が間隔を隔てて形成されており、当該螺子穴を選ぶことによって、ベース部１に対し幅側Ｌ字部７，７を浴槽幅方向に変位させ固定することができる（幅方向変位固定手段）。図２では、幅側Ｌ字部７，７をベース部１に最も近づける螺子穴を選択している。図中黒丸は螺子止めの位置を示している。そして、幅側Ｌ字部７，７が浴槽Ｂの側面に当接した状態で、ベース部１が固定されている。つまり、図２の状態では、ベース部１が浴槽Ｂの縁に設置されている。
【００２４】
また、この図２で分かるように、第２のハンドル６は、浴槽内部でＬ字状に折れ曲がり、浴槽の幅方向中央に向かってベース部１よりも迫り出している。この第２のハンドル６を固定するためにベース部１に形成された螺子穴は、ハンドル５を挟んで対称位置にも形成されており、第２のハンドル６は、反対向きにベース部１に取り付けることもできる。このため、ベース部１を浴槽の反対側の縁に固定する場合でも、第２のハンドルを有効に取り付けることができる。また、図２で分かるように、奥行側Ｌ字部２ａ，２ｂを固定するためのベース部１に形成された３箇所の螺子穴Ｕ１は２列に設けられ、固定の安定性を向上している。
【００２５】
幅側Ｌ字部７，７は、図３に示すように、ベース部１に対して変位させて固定することができる。この状態で、幅側Ｌ字部７，７を浴槽Ｂの側面に当接させたうえでベース部１を固定すると、図３に示すように、浴槽Ｂの縁からずらした位置にベース部１を取り付けることができる。例えば、浴槽周辺の壁面に水栓などの障害物Ｏが取り付いており、ハンドルと干渉してしまうような位置関係でも、図３のようにベース部１をオフセットして取り付けることができるので、障害物Ｏとの干渉を避けることができる。
【００２６】
また、図４に示すように、奥行側Ｌ字部２ａ、幅側Ｌ字部７，７を反転してベース部１に取り付けることもできる。各Ｌ字部の螺子穴を貫通させることで、このように取り付けができる（反転構造）。このようにすると、浴槽Ｂとその周囲の壁面との間に溝が無い場合でも奥行側Ｌ字部２ａ、幅側Ｌ字部７，７を壁に固定することで、ベース部１を固定することができる。奥行側Ｌ字部２ａと幅側Ｌ字部７，７の壁との当接面には壁面を保護する保護シートを施すとよい。奥行側Ｌ字部２ａおよび幅側Ｌ字部７，７には、壁面固定用のボルトを挿通するための穴を形成しておく（壁面連結構造）。例えば、図１（ｂ）に示したような螺子穴を形成しておくとよい。
【００２７】
また、図４に示すように、ハンドル６の高さを調節し、ハンドルの高さを利用者に合う高さに設定することや、奥行側Ｌ字部２ｂをベース部１に対して変位させて取り付けて浴槽の奥行に適合させることができるようになっている。
【００２８】
以上説明した本実施形態によれば、浴槽に掛け渡すタイプの手摺りで、かつ、浴槽の奥行に合わせて伸縮可能なタイプにおいて、浴槽のアール部分にも固定することができ、かつ、利用者が手摺りを体に引きつける方向の力を加えても、手摺り自体が従来の伸縮タイプよりも強度を持っていると共に、幅側Ｌ字部７，７が浴槽側面に当接して抵抗することで、手摺りがずれたり外れたりしにくい浴槽用手摺りを提供することができる。
【００２９】
また、本実施形態の浴槽用手摺りは、浴槽の周囲に壁がなくても取り付けることができ、逆に、浴槽が壁に密着している場合でも取り付けることができる。このため、バランス釜ＣＦタイプ、ユニットバス、腰掛け付き浴槽変形タイプなど、様々なタイプの浴槽に取り付けることができる。更に、上述したように、ベース部を浴槽の縁からオフセットして取り付けることができるので、浴槽の縁に取付の障害物がある場合でも、これを避けて取り付けることができる。
【００３０】
本願発明は、以上の実施形態に限らない。保護シートは、各Ｌ字部の取付方法が決定した段階で、浴槽や壁面を保護する部位に貼り付ければよい。又は、必ずしも保護シートを貼らなくてもよい。幅側Ｌ字部を固定するためのベース部の螺子穴は、ハンドルを挟んで対称に設け、幅側Ｌ字部の取付方向をリバーシブルにすることで、浴槽用手摺りを浴槽の反対側の縁に取り付ける場合でも対応できるようになる。
【００３１】
本願の浴槽用手摺りは、福祉用具購入対象品に位置づけられるが、ベース部の固定に際して壁面へのビス止めを行う場合には、住宅改修対象品としても位置づけることができる。
【図面の簡単な説明】
【００３２】
【図１】本発明の一実施形態である浴槽用手摺りの正面図。
【図２】図１に示す浴槽用手摺りの平面図。
【図３】図１に示す浴槽用手摺りの第１の使用説明図。
【図４】図１に示す浴槽用手摺りの第２の使用説明図。
【図５】第１の従来例を説明するための説明図。
【図６】第２の従来例を説明するための説明図。
【符号の説明】
【００３３】
１  ベース部
２ａ，２ｂ  奥行側Ｌ字部
３  押圧手段
４  アーム
５，５ａ  ハンドル
６  第２のハンドル
７  幅側Ｌ字部
【図１】
2007175245.tif 000003
【図２】
2007175245.tif 000004
【図３】
2007175245.tif 000005
【図４】
2007175245.tif 000006
【図５】
2007175245.tif 000007
【図６】
2007175245.tif 000008